(57)【要約】      （修正有）【課題】利用者の需要を満たすオーダーメイドインソールを提供する。【解決手段】本実用新型は一種の足取りデータに基づいたオーダーメイドインソールを提供する。その中、インソール外層１を基礎として、衝撃吸収泡沫２がインソール外層の下に付着し、ＥＶＡ主体層６が衝撃吸収泡沫層の下にあり、衝撃吸収泡沫とＥＶＡ主体層の間に第一動態衝撃吸収クッション３、前足ＥＶＡ構造４及び踵コップ構造、第二動態衝撃吸収・支えのクッション７がＥＶＡ主体層の中央部、即ち土踏まず部に付着する; 前足クッションがＥＶＡ主体層の前の足の裏に付着する;ヒールクッション９がＥＶＡ主体層のヒール部に付着する。【選択図】図１
0003223392.tif 000002
【実用新案登録請求の範囲】
【請求項１】
一種の足取りデータに基づいたオーダーメイドインソールであって、その構造は、インソールの外層、衝撃吸収泡沫、第一動態衝撃吸収クッション、前足EVA構造、踵コップ構造、EVA主体層、第二動態衝撃吸収・支えのクッション、前足高弾性材料のクッション及びヒール高弾性材料のクッションであり、インソールの外層を基礎として、衝撃吸収泡沫がインソール外層の下で付着し、EVA主体層が衝撃吸収泡沫の下にあり、衝撃吸収泡沫とEVA主体層の間に第一動態衝撃吸収クッションが設置され、前足EVA構造及び踵コップ構造、その中で第一動態衝撃吸収クッションが衝撃吸収泡沫の足の中央部、即ち土踏まず部に付着し、前足EVA構造が衝撃吸収泡沫の前足に付着し、踵コップ構造が衝撃吸収泡沫の下、即ちヒール部に設置され、第二動態衝撃吸収・支えのクッションがEVA 主体層の中間位置、即ち土踏まず部に設置され、一体構造に圧着され、前足クッションがEVA主体層の前の足の裏に付着し、ヒールクッションがEVA主体層のヒール部に付着し、前記のインソールの外層は、風通しのよい織物を採用することを特徴とするオーダーメイドインソール。
【請求項２】
一種の足取りデータに基づいたオーダーメイドインソールであって、前記の前足EVA構造の特徴は、インソールを平置きにする時、一定の傾斜角があり、利用者の足取りデータにより確定し、一般的でビッグデータによる基準数値のプラス・マイナス2.5°を範囲とすることを特徴とする請求項１に記載のオーダーメイドインソール。
【請求項３】
一種の足取りデータに基づいたオーダーメイドインソールであって、踵コップ構造は、代表本により統計された足型データ、利用者の足取りデータに基づき得られたことを特徴とする請求項１に記載のオーダーメイドインソール。
【請求項４】
一種の足取りデータに基づきオーダーメイドインソールであって、第二動態衝撃吸収・支えのクッションがインソールの中にある位置は個別化設置され、土踏まずを支えながら、地面の反力による足への衝撃を減少し、この構造硬度はソフト、ミディアム、ハードの三つに分けられ、利用者の足取りデータにより確定することを特徴とする請求項１に記載のオーダーメイドインソール。
【請求項５】
一種の足取りデータに基づきオーダーメイドインソールであって、前記の前足クッション及びヒールクッションの素材には、力学特性をもつ高強度ゲル材料を採用されることを特徴とする請求項1に記載のオーダーメイドインソール。
【考案の詳細な説明】
【技術分野】
【０００１】
本実用新型はインソールデザインの分野に属する。具体的には利用者の足取りデータ、体つきのデータ、足型データに基づき個別化オーダーメイドインソールに関する。
【背景技術】
【０００２】
現在の機能インソールの生産条件の下で、利用者はインソールが自分の足にぴったり合うことを求め、或いは矯正の要求がある場合に、一般的に専門のリハビリセラピストが評価・測定し、インソールを作り、履く効果を評価するなど、一連の過程が非常に煩わしいから、利用者に相対的に大きな精力、費用の負担をもたらしてしまう;工場が大量に生産した「セミオーダー」インソールは、種類が少なく、人々の異なる足の特徴に応じて区分されていなく、お客様のニーズをよく満足できない。
【０００３】
実は、人々の足の運動モデル、運動の需要が異なるので、インソールの前足、踵、土踏まず部の材料の硬度、詳しいパラメーターが別々にすることが必要であり、各利用者の足の特徴、運動に適応すべきである。
【０００４】
足取り分析技術、インソール製造業の発展につれて、いかに利用者の足取りデータを利用し、各利用者の足にぴったり合いながら、運動の需要を満たし、比較的に経済的、高効率的に入手できるオーダーメイドインソールを設計することは、解決しなければならない喫緊の課題である。
【考案の概要】
【考案が解決しようとする課題】
【０００５】
上記のように、本実用新型の目的は、足取りのデータ、体つきのデータ、足型のデータに基づいたオーダーメイドインソールを提供し、数値化したデータによって、お客様のために個別のデータにぴったり合うオーダーメイドインソールを提供し、さらに各利用者の足取りの特徴に合い、利用者の需要を満たすことにある。
【課題を解決するための手段】
【０００６】
上述の目的を実現するために、本実用新型は採用した技術方案は、足取りのデータに基づいたオーダーメイドインソールを提供し、インソールの表層、衝撃吸収泡沫、第一動態衝撃吸収クッション、前足EVA構造、踵コップ構造、EVA 主体層、第二動態衝撃吸収・支えクッション、前足高弾性材料のクッション及びヒール高弾性材料のクッションを含んでいる。その中に、インソール外層を基礎として、衝撃吸収泡沫がインソール外層の下で付着し、EVA主体層が衝撃吸収泡沫層の下にあり、衝撃吸収泡沫とEVA主体層の間に第一動態衝撃吸収クッション、前足EVA構造及び踵コップ構造を設けられ、その中に第一動態衝撃吸収クッションが衝撃吸収泡沫の足の中央部、即ち土踏まずの位置に付着し、前足EVA構造が衝撃吸収泡沫の前足の位置に付着し、踵コップ構造が衝撃吸収泡沫の下、即ちヒールの位置に設けられている; 第二動態衝撃吸収・支えのクッションはEVA主体層の中央部、即ち土踏まずにあり、一体構造に圧着されたことを特徴とする請求項１に記載のオーダーメイドインソール。前足クッションがEVA主体層の前の足の裏に付着する;ヒールクッションがEVA主体層のヒールの位置に付着する。
【０００７】
前記のインソールの外層は、風通しのよい織物を採用する。
【０００８】
前記の前足EVA構造が、インソールが平置きになる時に、ある程度の傾斜角があり、利用者の足取りデータにより決定する;前記の踵コップ構造の特徴は、代表本により足型のデータ、利用者の足取りのデータを統計することで得たものである。前記のEVA主体層の硬度は日常で異なる運動ニーズによって六種に分けられる。
【０００９】
前記の第二動態衝撃吸収・支えのクッションは、足の位置に対応し、利用者の足型データに基づき決定できる。これは土踏まずを支えながら、地面の反力による足の衝撃を減少する;その硬度はソフト、ミディアム、ハードの三つに分けられ、利用者の足取りデータによって決定する。
【００１０】
前記の前足クッション及びヒールクッションの素材は、高強度ゲル材料で製造された新型材料である;これらの構造上特徴は利用者の足取りデータによって確定される。
【００１１】
本実用新型に提供されるオーダーメイドインソールは、異なる足型の特徴及び足取り、体つきの特徴に基づき、異なる構造、機能特性のインソールをピッたり合う。
【００１２】
本実用新型の前足EVA構造の傾斜角の主な構造特徴は、利用者の足取りデータによって確定し、一般的でビッグデータ統計の基準数値のプラス・マイナス2.5°を範囲とする。足が地面から離れる期間に、足のアライメントとビッグデータによる平均足のアライメントとの差異に基づき確定される:具体的に、利用者は前足がエバーションすぎたら、前足EVA構造の内側傾斜角を更に大きくする。
【００１３】
前記の踵コップ構造の特徴は、足型データ、利用者の足取りデータに基づき得られた。その内側（衝撃吸収泡沫との接触側）の深度、ラジアンパラメーターは人体ヒール弧度の代表本により得られた;その外側弧度、厚さ、パラメーターは利用者の足が着地時に前額面角度とビッグデータによる前額面角度との差異によって決定される。具体的に、利用者の足取りデータは踵がエバーションすぎたら、踵コップ構造の内側厚さを大きくする。
【００１４】
本実用新型はEVA主体層の硬度が六種に分けられ、硬度は日常の異なる運動のニーズによって選べばいい。
【００１５】
前記の第二動態衝撃吸収・支えのクッションがインソール中に個別化設置され、パラメーターは利用者の足型データに基づき確定される:具体的に、土踏まずの画像により、土踏まずの位置が足の位置に対照しながら確定される;その硬度はソフト、ミディアム、ハードに分けられる。パラメーターは利用者の足型データにより確定される。
【００１６】
前記の前足クッションとヒールクッションは利用者の足型データに基づき材料化合物の比率を調整することにより各利用者の足にぴったり合う。
【考案の効果】
【００１７】
本実用新型の有利な効果は、提供しているインソールの構造は、インソールの機能種類を変わり、豊かにしている。利用者は歩行、運動、ほかの異なる強さの体力活動をする過程でさらに心地よく履く;前足EVA構造の傾斜角はある程度で前足のエバーションを矯正できる;踵コップ構造の内側構造は各利用者の足にぴったり合い、ヒールをもっと安定的に支えられる;外側構造はある程度でヒールのエバーションを矯正できる;異なる硬度のEVA 主体層は異なる運動ニーズをもっと満たせる;第二動態衝撃吸収・支えのクッションは土踏まずをもっとぴったり合い、土踏まずがさらに心地よくアーチの機能を発揮できる;硬度の区分が個人の足取りデータの区別をよく考え、運動する時で土踏まずの快適性を向上させる。
【図面の簡単な説明】
【００１８】
【図１】オーダーメイドインソールの構造見取り図;
【考案を実施するための形態】
【００１９】
以下は実施例を通じ本特許についてご説明させていただきます。図１のように、本実用新型は一種の足取りデータを基づいたオーダーメイドインソールを提供している。その構造は、インソールの外層1、衝撃吸収泡沫2、第一動態衝撃吸収クッション3、前足EVA構造4、踵コップ構造5、EVA主体層6、第二動態衝撃吸収・支えのクッション7、前足クッション8及びヒールクッション9である。その中、インソール外層1を基礎として、衝撃吸収泡沫2がインソール外層1の下に付着し、EVA主体層6が衝撃吸収泡沫2の下にあり、衝撃吸収泡沫2とEVA主体層6の間に第一動態衝撃吸収クッション3が設けられ、前足EVA構造4及び踵コップ構造5、その中で第一動態衝撃吸収クッション3が衝撃吸収泡沫2の足の中央部、即ち土踏まず部に付着し、前足EVA構造4が衝撃吸収泡沫2の前足に付着し、踵コップ構造5が衝撃吸収泡沫2の下、即ちヒール部に設けられる第二動態衝撃吸収・支えのクッション7がEVA 主体層6の中央部、即ち土踏まず部に設置される;前足クッション8がEVA主体層6の前の足の裏に付着する;ヒールクッション9がEVA主体層6のヒール部に付着する。
【００２０】
EVA主体層は、異なる運動、利用者の足取りパラメーターに合わせ決定される。具体的に、例えば短距離競走運動の場合、最大の硬度を選ぶのを勧め、足に大きな反力を獲得させるためである;年上は普通に歩行する場合、最小の硬度を選ぶのを勧め、足に心地よくさせる。
【００２１】
本実用新型が提供した第二動態衝撃吸収・支えのクッションは、「着地時刻―足が平置き時刻」の期間に足の矢状面角速度と、ビッグデータによる足の矢状面角速度との差異により確定する:具体的に、角速度が速い場合、「ソフト」を選ぶのを勧め、高硬度のインソールは土踏まずがリラックスするのに不利であるため;その高さは低い、ミディアム、高いに分かれ、パラメーターは利用者の足型データにより確定する:具体的に、足型データから利用者が「低い土踏まず」に属すると判定すれば、「低い」のほうを選ぶのをお薦めである。
【００２２】
前足クッション及びヒールクッションの材料に対して、利用者が着地するときで地面の反力の数値が比較的に大きい場合に、高い衝撃吸収の材料を選ぶようになり、具体的な材料の配合は数値により決定するものである。
【符号の説明】
【００２３】
1．インソールの外層;2．衝撃吸収泡沫;3．第一動態衝撃吸収クッション;4．前足EVA構造;5．踵コップ構造;6．EVA 主体層;7．第二動態衝撃吸収・支えのクッション;8．前足クッション;9．ヒールクッション。
【図１】
0003223392.tif 000003